(57)【要約】【課題】色再現特性の精度がより向上する色再現特性作成装置等を提供する。【解決手段】基準となる第１の表示装置の色再現特性と、第１の表示装置にて表示した測色用画像と白色基準画像とを撮影手段２１ａにより撮影し撮影した測色用画像を撮影手段２１ａの表示部２１２で表示するときに使用する第１の色情報と、第２の表示装置にて表示した測色用画像と白色基準画像とを撮影手段２１ａにより撮影し撮影した測色用画像を表示部２１２で表示するときに使用する第２の色情報とを取得する色情報取得部２１３と、第１の表示装置の色再現特性と第１の色情報とから撮影手段２１ａの色再現特性を作成する第１の色再現特性作成部２１５と、撮影手段２１ａの色再現特性と第２の色情報とから第２の表示装置の色再現特性を作成する第２の色再現特性作成部２１６と、を備える色再現特性作成装置。【選択図】図４
2015095867.tif 000002
【特許請求の範囲】
【請求項１】
基準となる第１の表示装置の色再現特性と、色再現特性を作成するために使用する測色用画像と基準となる白色の画像である白色基準画像とを当該第１の表示装置にて表示し、当該測色用画像および当該白色基準画像を撮影した画像を表示可能な表示部を備える撮影手段により撮影し、撮影した当該測色用画像を当該表示部で表示するときに使用する第１の色情報と、当該測色用画像を測定対象となる第２の表示装置にて表示し、当該測色用画像および当該白色基準画像を当該撮影手段により撮影し、撮影した当該測色用画像を当該表示部で表示するときに使用する第２の色情報と、を取得する色情報取得部と、
前記第１の表示装置の色再現特性および前記第１の色情報を基に、前記撮影手段の色再現特性を作成する第１の色再現特性作成部と、
前記撮影手段の色再現特性および前記第２の色情報を基に、前記第２の表示装置の色再現特性を作成する第２の色再現特性作成部と、
を備えることを特徴とする色再現特性作成装置。
【請求項２】
前記色情報取得部は、前記測色用画像を前記第２の表示装置にて表示するとともに前記白色基準画像を当該第２の表示装置にてともに表示し、当該測色用画像および当該白色基準画像を前記撮影手段によりともに撮影することで得られる前記第２の色情報を取得することを特徴とする請求項１に記載の色再現特性作成装置。
【請求項３】
前記色情報取得部は、前記測色用画像を前記第２の表示装置にて表示するとともに前記白色基準画像を当該第２の表示装置とは別の第２の表示部にて表示し、当該測色用画像および当該白色基準画像を前記撮影手段によりともに撮影することで得られる前記第２の色情報を取得することを特徴とする請求項１に記載の色再現特性作成装置。
【請求項４】
前記第２の色情報に含まれる前記白色基準画像を撮影したときの色値が予め定められた範囲内であるかを判定する判定部と、
前記判定部が前記色値が予め定められた範囲内でないと判定したときに、前記第２の色情報を補正する色情報補正部と、
をさらに備えることを特徴とする請求項１乃至３の何れか１項に記載の色再現特性作成装置。
【請求項５】
画像を撮影する撮影部と、当該撮影部で撮影した画像を表示可能な表示部と、を備える撮影手段と、
前記撮影手段により撮影した画像を基に色再現特性を作成する色再現特性作成手段と、
を備え、
前記色再現特性作成手段は、
基準となる第１の表示装置の色再現特性と、色再現特性を作成するために使用する測色用画像と基準となる白色の画像である白色基準画像とを当該第１の表示装置にて表示し、当該測色用画像および当該白色基準画像を前記撮影手段により撮影し、撮影した当該測色用画像を前記表示部で表示するときに使用する第１の色情報と、当該測色用画像を測定対象となる第２の表示装置にて表示し、当該測色用画像および当該白色基準画像を当該撮影手段により撮影し、撮影した当該測色用画像を当該表示部で表示するときに使用する第２の色情報と、を取得する色情報取得部と、
前記第１の表示装置の色再現特性および前記第１の色情報を基に、前記撮影手段の色再現特性を作成する第１の色再現特性作成部と、
前記撮影手段の色再現特性および前記第２の色情報を基に、前記第２の表示装置の色再現特性を作成する第２の色再現特性作成部と、
を備えることを特徴とする色再現特性作成システム。
【請求項６】
前記白色基準画像を表示する第２の表示部を備える機器をさらに備え、
前記色情報取得部は、前記第２の表示装置にて表示する前記測色用画像および前記第２の表示部にて表示する前記白色基準画像を前記撮影手段によりともに撮影することで得られる前記第２の色情報を取得することを特徴とする請求項５に記載の色再現特性作成システム。
【請求項７】
コンピュータに、
基準となる第１の表示装置の色再現特性と、色再現特性を作成するために使用する測色用画像と基準となる白色の画像である白色基準画像とを当該第１の表示装置にて表示し、当該測色用画像および当該白色基準画像を撮影した画像を表示可能な表示部を備える撮影手段により撮影し、撮影した当該測色用画像を当該表示部で表示するときに使用する第１の色情報と、当該測色用画像を測定対象となる第２の表示装置にて表示し、当該測色用画像および当該白色基準画像を当該撮影手段により撮影し、撮影した当該測色用画像を当該表示部で表示するときに使用する第２の色情報と、を取得する機能と、
前記第１の表示装置の色再現特性および前記第１の色情報を基に、前記撮影手段の色再現特性を作成する機能と、
前記撮影手段の色再現特性および前記第２の色情報を基に、前記第２の表示装置の色再現特性を作成する機能と、
を実現させるプログラム。
【請求項８】
基準となる第１の表示装置の色再現特性を取得する基準色再現特性取得段階と、
色再現特性を作成するために使用する測色用画像と基準となる白色の画像である白色基準画像とを当該第１の表示装置にて表示する第１の表示段階と、
前記第１の表示装置にて表示される前記測色用画像および前記白色基準画像を、撮影した画像を表示可能な表示部を備える撮影手段により撮影する第１の撮影段階と、
前記第１の撮影段階において撮影した前記測色用画像を前記表示部で表示するときに使用する第１の色情報を取得する第１の色情報取得段階と、
前記第１の表示装置の色再現特性および前記第１の色情報を基に、前記撮影手段の色再現特性を作成する第１の色再現特性作成段階と、
前記測色用画像を測定対象となる第２の表示装置にて表示する第２の表示段階と、
前記測色用画像および前記白色基準画像を前記撮影手段により撮影する第２の撮影段階と、
前記第２の撮影段階において撮影した前記測色用画像を前記表示部で表示するときに使用する第２の色情報を取得する第２の色情報取得段階と、
前記撮影手段の色再現特性および前記第２の色情報を基に、前記第２の表示装置の色再現特性を作成する第２の色再現特性作成段階と、
を備えることを特徴とする色再現特性作成方法。
【請求項９】
前記第２の表示段階の前に、前記第２の表示装置にて前記白色基準画像を表示させる調整を行なう画像調整段階をさらに備えることを特徴とする請求項８に記載の色再現特性作成方法。
【発明の詳細な説明】
【技術分野】
【０００１】
本発明は、色再現特性作成装置、色再現特性作成システム、プログラム、色再現特性作成方法に関する。
【背景技術】
【０００２】
特許文献１には、プロファイルが未知のモニタのコンピュータにカラーチャート電子画像データを入力し読み込む段階と、このモニタにチャート画像を出力表示する段階と、このモニタに出力表示したチャート画像をプロファイルが既知の電子カメラにて撮影記録する段階と、他のモニタのコンピュータに撮影電子画像データを入力し読み込む段階と、チャート撮影画像を他のモニタの画面上に出力表示する段階と、他のモニタに搭載した色成分値出力表示処理用プログラムを用いてチャート撮影画像の色成分値を出力し記録する段階と、カメラの既知の色特性プロファイルに基づいて色成分値と色彩値とを対応付けた色彩値−色成分値の最初のモニタの色特性プロファイルを作成するモニタの色特性プロファイル作成システムが開示されている。
【０００３】
特許文献２には、モニタに接続されたプロファイル作成装置であって、印刷媒体上に印刷された第１のチャートと、モニタ上に表示された第２のチャートと、を同時に電子カメラにより撮影した画像データを取得する取得手段と、画像データにおける第１のチャート部分を構成する各パッチのＲＧＢ値を取得し、ＲＧＢ値と第１のチャートを構成する各パッチの測色値とに基づいて電子カメラの色特性プロファイルを作成する第１の色特性プロファイル作成手段と、画像データにおけるモニタ上に表示された第２のチャート部分を構成する各パッチのＲＧＢ値を取得し、ＲＧＢ値と電子カメラの色特性プロファイルとに基づいてモニタの色特性プロファイルを作成する第２の色特性プロファイル作成手段と、を備えるものが開示されている。
【０００４】
特許文献３には、デバイス間での画像出力の整合をとるために用いられるカラーマッチング方法として、モニタおよびプリンタに共通の色票（カラーチャート）を出力させ、そうして、これら出力された共通の色票について、それぞれ単一のデジタルスチルカメラにより測色を行い、測色の結果として得られる各装置（モニタおよびプリンタ）の色再現特性を比較することにより、両者の色再現特性を整合（マッチング）すべく、適宜の色変換テーブル（ＬＵＴ）を通じて、モニタの色再現特性を調整（出力補正）するカラーマッチング方法が開示されている。
【先行技術文献】
【特許文献】
【０００５】
【特許文献１】特開２００３−６６２９号公報
【特許文献２】特開２００８−２２４１０号公報
【特許文献３】特開２００７−２５１２３７号公報
【発明の概要】
【発明が解決しようとする課題】
【０００６】
色再現特性を、白色基準画像に基づき作成し、これにより色再現特性の精度がより向上することが望ましい。
【課題を解決するための手段】
【０００７】
請求項１に記載の発明は、基準となる第１の表示装置の色再現特性と、色再現特性を作成するために使用する測色用画像と基準となる白色の画像である白色基準画像とを当該第１の表示装置にて表示し、当該測色用画像および当該白色基準画像を撮影した画像を表示可能な表示部を備える撮影手段により撮影し、撮影した当該測色用画像を当該表示部で表示するときに使用する第１の色情報と、当該測色用画像を測定対象となる第２の表示装置にて表示し、当該測色用画像および当該白色基準画像を当該撮影手段により撮影し、撮影した当該測色用画像を当該表示部で表示するときに使用する第２の色情報と、を取得する色情報取得部と、前記第１の表示装置の色再現特性および前記第１の色情報を基に、前記撮影手段の色再現特性を作成する第１の色再現特性作成部と、前記撮影手段の色再現特性および前記第２の色情報を基に、前記第２の表示装置の色再現特性を作成する第２の色再現特性作成部と、を備えることを特徴とする色再現特性作成装置である。
請求項２に記載の発明は、前記色情報取得部は、前記測色用画像を前記第２の表示装置にて表示するとともに前記白色基準画像を当該第２の表示装置にてともに表示し、当該測色用画像および当該白色基準画像を前記撮影手段によりともに撮影することで得られる前記第２の色情報を取得することを特徴とする請求項１に記載の色再現特性作成装置である。
請求項３に記載の発明は、前記色情報取得部は、前記測色用画像を前記第２の表示装置にて表示するとともに前記白色基準画像を当該第２の表示装置とは別の第２の表示部にて表示し、当該測色用画像および当該白色基準画像を前記撮影手段によりともに撮影することで得られる前記第２の色情報を取得することを特徴とする請求項１に記載の色再現特性作成装置である。
請求項４に記載の発明は、前記第２の色情報に含まれる前記白色基準画像を撮影したときの色値が予め定められた範囲内であるかを判定する判定部と、前記判定部が前記色値が予め定められた範囲内でないと判定したときに、前記第２の色情報を補正する色情報補正部と、をさらに備えることを特徴とする請求項１乃至３の何れか１項に記載の色再現特性作成装置である。
請求項５に記載の発明は、画像を撮影する撮影部と、当該撮影部で撮影した画像を表示可能な表示部と、を備える撮影手段と、前記撮影手段により撮影した画像を基に色再現特性を作成する色再現特性作成手段と、を備え、前記色再現特性作成手段は、基準となる第１の表示装置の色再現特性と、色再現特性を作成するために使用する測色用画像と基準となる白色の画像である白色基準画像とを当該第１の表示装置にて表示し、当該測色用画像および当該白色基準画像を前記撮影手段により撮影し、撮影した当該測色用画像を前記表示部で表示するときに使用する第１の色情報と、当該測色用画像を測定対象となる第２の表示装置にて表示し、当該測色用画像および当該白色基準画像を当該撮影手段により撮影し、撮影した当該測色用画像を当該表示部で表示するときに使用する第２の色情報と、を取得する色情報取得部と、前記第１の表示装置の色再現特性および前記第１の色情報を基に、前記撮影手段の色再現特性を作成する第１の色再現特性作成部と、前記撮影手段の色再現特性および前記第２の色情報を基に、前記第２の表示装置の色再現特性を作成する第２の色再現特性作成部と、を備えることを特徴とする色再現特性作成システムである。
請求項６に記載の発明は、前記白色基準画像を表示する第２の表示部を備える機器をさらに備え、前記色情報取得部は、前記第２の表示装置にて表示する前記測色用画像および前記第２の表示部にて表示する前記白色基準画像を前記撮影手段によりともに撮影することで得られる前記第２の色情報を取得することを特徴とする請求項５に記載の色再現特性作成システムである。
請求項７に記載の発明は、コンピュータに、基準となる第１の表示装置の色再現特性と、色再現特性を作成するために使用する測色用画像と基準となる白色の画像である白色基準画像とを当該第１の表示装置にて表示し、当該測色用画像および当該白色基準画像を撮影した画像を表示可能な表示部を備える撮影手段により撮影し、撮影した当該測色用画像を当該表示部で表示するときに使用する第１の色情報と、当該測色用画像を測定対象となる第２の表示装置にて表示し、当該測色用画像および当該白色基準画像を当該撮影手段により撮影し、撮影した当該測色用画像を当該表示部で表示するときに使用する第２の色情報と、を取得する機能と、前記第１の表示装置の色再現特性および前記第１の色情報を基に、前記撮影手段の色再現特性を作成する機能と、前記撮影手段の色再現特性および前記第２の色情報を基に、前記第２の表示装置の色再現特性を作成する機能と、を実現させるプログラムである。
請求項８に記載の発明は、基準となる第１の表示装置の色再現特性を取得する基準色再現特性取得段階と、色再現特性を作成するために使用する測色用画像と基準となる白色の画像である白色基準画像とを当該第１の表示装置にて表示する第１の表示段階と、前記第１の表示装置にて表示される前記測色用画像および前記白色基準画像を、撮影した画像を表示可能な表示部を備える撮影手段により撮影する第１の撮影段階と、前記第１の撮影段階において撮影した前記測色用画像を前記表示部で表示するときに使用する第１の色情報を取得する第１の色情報取得段階と、前記第１の表示装置の色再現特性および前記第１の色情報を基に、前記撮影手段の色再現特性を作成する第１の色再現特性作成段階と、前記測色用画像を測定対象となる第２の表示装置にて表示する第２の表示段階と、前記測色用画像および前記白色基準画像を前記撮影手段により撮影する第２の撮影段階と、前記第２の撮影段階において撮影した前記測色用画像を前記表示部で表示するときに使用する第２の色情報を取得する第２の色情報取得段階と、前記撮影手段の色再現特性および前記第２の色情報を基に、前記第２の表示装置の色再現特性を作成する第２の色再現特性作成段階と、を備えることを特徴とする色再現特性作成方法である。
請求項９に記載の発明は、前記第２の表示段階の前に、前記第２の表示装置にて前記白色基準画像を表示させる調整を行なう画像調整段階をさらに備えることを特徴とする請求項８に記載の色再現特性作成方法である。
【発明の効果】
【０００８】
請求項１の発明によれば、本構成を有していない場合に比較して、色再現特性の精度がより向上する色再現特性作成装置が提供できる。
請求項２の発明によれば、本構成を有していない場合に比較して、より簡易な装置を使用して色再現特性作成することができる。
請求項３の発明によれば、第２の表示部にて表示される白色基準画像を使用して、撮影手段のホワイトバランスを合せることができる。
請求項４の発明によれば、本構成を有していない場合に比較して、撮影手段のホワイトバランスが適正でなかったときでも第２の色情報を補正し、色再現特性をより精度よく作成することができる。
請求項５の発明によれば、本構成を有していない場合に比較して、色再現特性の精度がより向上する色再現特性作成システムが提供できる。
請求項６の発明によれば、第２の表示部にて表示される白色基準画像を使用して、撮影手段のホワイトバランスを合せることができる。
請求項７の発明によれば、本構成を有していない場合に比較して、色再現特性の精度がより向上する機能をコンピュータにより実現できる。
請求項８の発明によれば、本構成を有していない場合に比較して、色再現特性の精度がより向上する色再現特性作成方法が提供できる。
請求項９の発明によれば、本構成を有していない場合に比較して、撮影手段のホワイトバランスをより適正に調整することができる。
【図面の簡単な説明】
【０００９】
【図１】（ａ）〜（ｄ）は、第１の実施の形態における色再現特性作成方法を説明した図である。
【図２】第１の実施の形態における色再現特性作成方法を説明したフローチャートである。
【図３】図１、図２で扱われる色値の関係を示した図である。
【図４】第１の実施の形態における携帯端末の機能構成例を示した図である。
【図５】（ａ）〜（ｄ）は、第２の実施の形態における色再現特性作成方法を説明した図である。
【図６】第２の実施の形態における色再現特性作成方法を説明したフローチャートである。
【図７】第２の実施の形態における携帯端末の機能構成例を示した図である。
【発明を実施するための形態】
【００１０】
＜画像表示システムの全体構成の説明＞
以下、添付図面を参照して、本発明の実施の形態について詳細に説明する。
例えば、デザイナーが種々の製品のデザインを行う際には、デザインを行う製品のモックアップを作製し、実際に製品となったときの確認を行うことがある。しかしモックアップは、一般に製作費用が高額となりやすく、また製作するのに多くの労力や時間を要する問題がある。
【００１１】
そのため近年は、ＰＣ（Personal Computer）等を使用し、ＣＧ（Computer Graphics）により製品のデザインを行う場合が多くなってきている。この場合、デザイナーは、ＰＣ等に接続された小サイズの液晶ディスプレイ等の表示装置に製品の画像を出力してデザインを行うことになる。しかし製品が大きなサイズのものであるときは、小サイズの液晶ディスプレイでは、製品全体のイメージを捉えることが困難であるため、例えば、大サイズの液晶ディスプレイやプロジェクタなどの表示装置を別途使用して出力を行うことがある。
【００１２】
このようにＣＧを使用して製品のデザインを行う際には、複数の表示装置を使用する場合が多い。しかしながら表示装置で出力する際に同様の画像データを使用しても、それぞれの表示装置の色再現特性（プロファイル）は異なる。そのためこれに起因して出力される画像は、同様の色表現とはならないのが通常である。またこの色再現特性は、表示装置の製造者や型番が異なれば異なるものである。さらに同様の製造者の同様の型番のものでも製造時のばらつきや、経年変化によりやはり色再現特性が異なることがある。表示装置のそれぞれの色表現が異なる場合、デザイナーは、製品の色について正確に把握することができず、デザインを行うのに支障が生じることになる。
【００１３】
よって例えば、複数の表示装置の色表現を合致させるためには、それぞれの表示装置の色再現特性を知る必要がある。そして色再現特性を測定するには、表示装置で測色用画像を表示させ、この測色用画像を測色することが必要となる。
しかしながら、測色を行なう機器である測色器は一般的に高価である。また色再現特性を測定するためには、測色用画像を多数測定する必要があるため、１台の表示装置の色再現特性を測定するために多くの時間が必要となりやすい。
【００１４】
そこで本実施の形態では、以下のような色再現特性作成方法を用い、表示装置の色再現特性を測定し、この問題の抑制を図っている。
【００１５】
［第１の実施の形態］
本実施の形態の色再現特性作成方法として、まず第１の実施の形態について説明する。
【００１６】
図１（ａ）〜（ｄ）は、第１の実施の形態における色再現特性作成方法を説明した図である。また図２は、第１の実施の形態における色再現特性作成方法を説明したフローチャートである。さらに図３は、図１、図２で扱われる色値の関係を示した図である。
【００１７】
図１（ａ）〜（ｄ）に図示するように本実施の形態では、基準となる第１の表示装置の一例である表示装置１１と、測定対象となる第２の表示装置の一例である表示装置１２と、表示装置１１の表示画面１１１と表示装置１２の表示画面１２１で表示される画像を撮影し表示装置１２の色再現特性を測定する携帯端末（色再現特性作成システム）２１とを使用する。
【００１８】
表示装置１１、１２は、例えばＰＣ用の液晶ディスプレイ、液晶テレビあるいはプロジェクタなど、加法混色にて画像を表示する機能を備えたもので構成される。したがって、表示装置１１、１２における表示方式は、液晶方式に限定されるものではない。なお、図１（ａ）〜（ｄ）に示す例では、表示装置１１、１２内に表示画面１１１、１２１が設けられているが、表示装置１１、１２として例えばプロジェクタを用いる場合、表示画面１１１、１２１は、表示装置１１、１２の外部に設けられたスクリーン等となる。
【００１９】
携帯端末２１は、カメラ等の撮影部を有し、さらにこの撮影部で撮影した画像を表示可能な表示部を有する装置である。具体的には、スマートフォン、タブレット等を例示することができる。
【００２０】
図４は、第１の実施の形態における携帯端末２１の機能構成例を示した図である。
図示するように携帯端末２１は、撮影手段２１ａと、撮影手段２１ａにより撮影した画像を基に色再現特性を作成する色再現特性作成手段（色再現特性作成装置）２１ｂとを備える。
また撮影手段２１ａは、撮影部２１１と、表示部２１２とを備え、色再現特性作成手段２１ｂは、色情報取得部２１３と、基準色再現特性記憶部２１４と、第１の色再現特性作成部２１５と、第２の色再現特性作成部２１６とを備える。
【００２１】
撮影部２１１は、カメラ等であり、画像を撮影する機能を有する。撮影部２１１は、表示画面１１１、１２１からの光を収束する図示しない光学系と、光学系により収束された光を検出する図示しないイメージセンサとを備える。
光学系は、単一のレンズまたは複数のレンズを組み合わせて構成され、イメージセンサは、ＣＣＤ（Charge Coupled Device）やＣＭＯＳ（Complementary Metal Oxide Semiconductor）等を配列することで構成される。
【００２２】
表示部２１２は、撮影部２１１で撮影した画像を表示可能であり、表示画面１１１、１２１と同様に液晶ディスプレイ等により構成される。また携帯端末２１が、スマートフォンやタブレットである場合、表示部２１２は、静電容量式や感圧式のタッチパネルであってもよい。この場合、表示部２１２は、人の指等を接触させることで、表示部２１２上の位置を入力するための入力デバイスとしても機能する。
【００２３】
色情報取得部２１３は、詳しくは後述するが、種々の色情報を取得する。例えば、色情報取得部２１３は、表示装置１１の色再現特性、測色用画像を表示装置１１の表示画面１１１にて表示し、この測色用画像等を撮影部２１１により撮影したときに得られる第１の色情報、および測色用画像等を表示装置１２の表示画面１２１にて表示し、この測色用画像等を撮影部２１１により撮影したときに得られる第２の色情報を取得する。
【００２４】
基準色再現特性記憶部２１４は、詳しくは後述するが、基準となる表示装置１１の色再現特性を記憶する。なお以後、表示装置１１の色再現特性を、「基準色再現特性」と言うことがある。
【００２５】
第１の色再現特性作成部２１５は、詳しくは後述するが、基準色再現特性および第１の色情報を基に、携帯端末２１の色再現特性を作成する。
【００２６】
第２の色再現特性作成部２１６は、詳しくは後述するが、撮影手段２１ａの色再現特性および第２の色情報を基に、表示装置１２の色再現特性を作成する。
【００２７】
以後、図１〜図４を使用して、本実施の形態における色再現特性作成方法を説明する。
まず携帯端末２１の色情報取得部２１３が、基準色再現特性記憶部２１４を参照し、基準色再現特性を取得する（基準色再現特性取得段階：ステップ１０１）。
【００２８】
次に図１（ａ）で示すように、表示装置１１の表示画面１１１に色再現特性を作成するために使用する測色用画像Ｓを表示する（第１の表示段階：ステップ１０２）。
【００２９】
表示装置１１は、測色用画像（色パッチ）Ｓの画像情報（入力画像データ）の作成等を行う図示しない表示用ＰＣ（Personal Computer）から、この入力画像データを受け取る。そしてこの入力画像データに基づき測色用画像Ｓを表示画面１１１に表示する。
表示装置１１は、色再現特性が既に測定済みであり、この場合、他の表示装置の色再現特性を測定するための基準となる表示装置となる。つまり表示装置１１は、入力画像データとしてＲ（赤色）、Ｇ（緑色）、Ｂ（青色）の色信号である（Ｒ０、Ｇ０、Ｂ０）を受け取ったときに、表示画面１１１に表示される測色値（Ｌ＊１、ａ＊１、ｂ＊１）が予め測色器等で測色されることでわかっている。言い換えると表示装置１１は、入力画像データと表示される色値との関係である色再現特性がわかっている。
【００３０】
測色用画像Ｓは、色相、彩度などの色特性がそれぞれ異なる矩形状の画像である。図１（ａ）では、測色用画像Ｓは、表示画面１１１に９個表示されているが、これだけでなく、他の測色用画像Ｓに切り替えつつ、これらを順次表示画面１１１に表示させていく。
また表示画面１１１の測色用画像Ｓが表示されない領域は、背景として基準となる白色の画像である白色基準画像Ｗが表示される。この白色基準画像Ｗは、例えば、予め定められた色温度における白色の画像である。
【００３１】
次に図１（ｂ）で示すように、携帯端末２１の撮影手段２１ａを使用し、表示装置１１にて表示される測色用画像Ｓおよび白色基準画像Ｗを撮影する（第１の撮影段階：ステップ１０３）。
【００３２】
そして携帯端末２１の表示部２１２で、撮影した測色用画像Ｓの画像を表示する（ステップ１０４）。
さらに携帯端末２１の色情報取得部２１３が、ステップ１０３において撮影した測色用画像Ｓを表示部２１２で表示するときに使用する第１の色情報を取得する（第１の色情報取得段階：ステップ１０５）。この第１の色情報は、Ｒ、Ｇ、Ｂの色信号であり、ここでは、（Ｒ’、Ｇ’、Ｂ’）と表す。即ち、色情報取得部２１３は、表示部２１２で撮影した測色用画像Ｓの画像を表示するために出力される（Ｒ’、Ｇ’、Ｂ’）の色信号を取得する。
【００３３】
次に携帯端末２１の第１の色再現特性作成部２１５が、基準色再現特性および第１の色情報を基に、撮影手段２１ａの色再現特性を作成する（第１の色再現特性作成段階：ステップ１０６）。ここで作成される色再現特性は、測色用画像Ｓの色値である（Ｌ＊１、ａ＊１、ｂ＊１）を撮影したときに得られる第１の色情報の関係となる。つまり（Ｒ’、Ｇ’、Ｂ’）と（Ｌ＊１、ａ＊１、ｂ＊１）との関係が撮影手段２１ａの色再現特性として作成される。
なおこの際に表示部２１２に何らかの色値を有する測色用画像Ｓが表示されるが、この色値（図３では、（Ｌ＊’、ａ＊’、ｂ＊’）として図示）に関しては、本実施の形態では、使用することはないため、測定等をする必要はない。
【００３４】
次に図１（ｃ）で示すように、携帯端末２１の表示部２１２全面に白色基準画像Ｗを表示する（ステップ１０７）。
そして図１（ｃ）で示すように、測定対象の表示装置１２の表示画面１２１にも全面に白色の画像を表示し、表示画面１２１の画像を調整して、白色基準画像Ｗを表示させるようにする（画像調整段階：ステップ１０８）。この調整は、測色器を使用し行なってもよいが、詳しくは後述するように撮影手段２１ａのホワイトバランスを合せるという観点からは厳密に合せる必要はないため、目視で合せてもよい。
【００３５】
次に図１（ｄ）で示すように、測色用画像Ｓを表示装置１２の表示画面１２１にて表示する（第２の表示段階：ステップ１０９）。表示される測色用画像Ｓは、ステップ１０２で表示装置１１の表示画面１１１で表示したものと同様のものとなる。また本実施の形態では、ステップ１０２の場合と同様に、表示画面１２１の測色用画像Ｓが表示されない領域は、背景として基準となる白色の画像である白色基準画像Ｗがともに表示される。
【００３６】
そして図１（ｄ）で示すように、携帯端末２１の撮影手段２１ａを使用し、表示装置１２で表示される測色用画像Ｓおよび白色基準画像Ｗを撮影する（第２の撮影段階：ステップ１１０）。即ち、測色用画像Ｓおよび白色基準画像Ｗを撮影手段２１ａによりともに撮影する。
【００３７】
そして携帯端末２１の表示部２１２で測色用画像Ｓの画像を表示する（ステップ１１１）。
さらに携帯端末２１の色情報取得部２１３が、撮影した測色用画像Ｓを表示部２１２で表示するときに使用する第２の色情報を取得する（第２の色情報取得段階：ステップ１１２）。この第２の色情報は、Ｒ、Ｇ、Ｂの色信号であり、ここでは、（Ｒ”、Ｇ”、Ｂ”）と表す。即ち、色情報取得部２１３は、表示部２１２で撮影した測色用画像Ｓの画像を表示するために出力される（Ｒ”、Ｇ”、Ｂ”）の色信号を取得する。
なおこの際に表示部２１２に何らかの色値を有する測色用画像Ｓが表示されるが、この色値（図３では、（Ｌ＊”、ａ＊”、ｂ＊”）として図示）に関しては、本実施の形態では、使用することはないため、測定等をする必要はない。
【００３８】
次に携帯端末２１の第２の色再現特性作成部２１６が、撮影手段２１ａの色再現特性および第２の色情報から表示装置１２で表示される測色用画像Ｓの色値を求める（ステップ１１３）。つまりステップ１０６で、（Ｒ’、Ｇ’、Ｂ’）と（Ｌ＊１、ａ＊１、ｂ＊１）との関係が撮影手段２１ａの色再現特性として作成されている。そしてこの関係をそのまま適用することで、第２の色情報（Ｒ”、Ｇ”、Ｂ”）と表示装置１２で表示される測色用画像Ｓの色値（ここでは、（Ｌ＊２、ａ＊２、ｂ＊２）とする）が求まることになる。
【００３９】
そして第２の色再現特性作成部２１６は、表示装置１２の色再現特性を作成する（第２の色再現特性作成段階：ステップ１１４）。表示装置１２で測色用画像Ｓを表示するときに使用する入力画像データは、表示装置１１の場合と同様に（Ｒ０、Ｇ０、Ｂ０）である。そして（Ｒ０、Ｇ０、Ｂ０）を受け取ったときに、表示画面１２１に表示される測色値（Ｌ＊２、ａ＊２、ｂ＊２）は、ステップ１１３で求まっている。よって（Ｒ０、Ｇ０、Ｂ０）と（Ｌ＊２、ａ＊２、ｂ＊２）との関係である表示装置１２の色再現特性が求まることになる。このようにステップ１１３〜ステップ１１４で、撮影手段２１ａの色再現特性および第２の色情報を基に、表示装置１２の色再現特性を作成することができる。
【００４０】
以上説明した第１の実施の形態によれば、高価な測色器を使用しなくてもスマートフォン等の安価な携帯端末２１を使用して、表示装置１２の色再現特性を作成することができる。また表示装置１２に複数の測色用画像Ｓを表示させ、さらにこれを撮影するだけで色再現特性を作成することができるため、より簡易かつより少ない時間で色再現特性を作成することができる
【００４１】
また携帯端末２１にて測色用画像Ｓを撮影する際に、同じ白色の画像である白色基準画像Ｗをともに撮影している。これによりホワイトバランスの自動調整機能がオフにできない撮影手段２１ａを有する携帯端末２１でもより精度よく表示装置１２の色再現特性を作成することができる。つまりホワイトバランスの自動調整機能がオフにできない場合、撮影対象に応じてこの自動調整機能が働くため、撮影手段２１ａの入出力特性が変化してしまう。このため事前に作成された撮影手段２１ａの色再現特性では、表示装置１２の色再現特性を精度よく作成することが困難である。しかしながら本実施の形態では、測色用画像Ｓを撮影する際に、白色基準画像Ｗをともに撮影するため、自動調整機能が働いたとしても、白色基準画像Ｗを基にホワイトバランスの調整が行なわれるため、上記の問題は生じにくく、表示装置１２の色再現特性を精度よく作成することができる。さらに白色基準画像Ｗは、印刷物等のカラーチャートとは異なり、自発光であるため、撮影時の照明条件の影響も受けにくい。よって照明条件を調整する必要はない。また撮影対象は、表示装置１１や表示装置１２で表示される測色用画像Ｓ等だけであり、印刷物であるカラーチャートなどを用意する必要がない。そのため測定をより簡便に行なうことができる。
【００４２】
また本実施の形態の場合、表示装置１１と表示装置１２とを並べて撮影を行なう必要はない。即ち、表示装置１１と表示装置１２とは異なる場所にあってもよい。つまり表示装置１１と表示装置１２とが異なる場所にあったときは、撮影手段２１ａの色再現特性を作成後、表示装置１２の色再現特性を作成するために携帯端末２１を表示装置１２の場所に持って行けばよい。そのため表示装置１２が移動の困難な機器であった場合や、遠隔地にあった場合でも、問題はない。
【００４３】
［第２の実施の形態］
本実施の形態の色再現特性作成方法として、まず第２の実施の形態について説明する。
【００４４】
図５（ａ）〜（ｄ）は、第２の実施の形態における色再現特性作成方法を説明した図である。また図６は、第２の実施の形態における色再現特性作成方法を説明したフローチャートである。なお図５、図６で扱われる色値の関係は、図３で示した場合と同様である。
【００４５】
図５（ａ）〜（ｄ）に図示するように、本実施の形態では、表示装置１１、表示装置１２、携帯端末２１の他に、携帯端末２２を使用する。
【００４６】
携帯端末２２は、第２の表示部を備える機器の一例であり、画像を表示可能な第２の表示部の一例である表示部２２２を有する装置である。この携帯端末２２は、携帯端末２１と異なりカメラ等の撮影部を有する必要はない。具体的には、スマートフォン、タブレット等を例示することができる。
【００４７】
図７は、第２の実施の形態における携帯端末２１の機能構成例を示した図である。
図示するように本実施の形態の携帯端末２１は、図４に示した携帯端末２１と同様に撮影手段２１ａと、色再現特性作成手段（色再現特性作成装置）２１ｂとを有する。
撮影手段２１ａの構成は、図４の場合と同様であり、撮影部２１１と、表示部２１２とを備える。
一方、色再現特性作成手段２１ｂは、図４で示した色情報取得部２１３、基準色再現特性記憶部２１４、第１の色再現特性作成部２１５、第２の色再現特性作成部２１６の他に、判定部２１７と、色情報補正部２１８とをさらに備える。
【００４８】
判定部２１７は、詳しくは後述するが、第２の色情報に含まれる白色基準画像Ｗを撮影したときの色値が予め定められた範囲内であるかを判定する。
【００４９】
色情報補正部２１８は、詳しくは後述するが、判定部２１７が色値が予め定められた範囲内でないと判定したときに、第２の色情報を補正する。
【００５０】
以後、図３、図５〜図７を使用して、本実施の形態における色再現特性作成方法を説明する。
ここで図６のステップ２０１〜ステップ２０６の処理は、図２のステップ１０１〜ステップ１０６の処理とそれぞれ同様である。なお図５（ａ）〜（ｂ）は、図１（ａ）〜（ｂ）と同様の図であるため、図２の説明中、図１（ａ）は、図５（ａ）に、また図１（ｂ）は、図５（ｂ）に読み替えることができる。
よって以後ステップ２０７から説明を行なう。
【００５１】
ここでは、図５（ｃ）で示すように、表示装置１１の表示画面１１１の全面に白色基準画像Ｗを表示する（ステップ２０７）。
そして図５（ｃ）で示すように、携帯端末２２の表示部２２２全面に白色の画像を表示し、表示部２２２の画像を調整して、白色基準画像Ｗを表示できるようにする（ステップ２０８）。
【００５２】
次に図５（ｄ）で示すように、測色用画像Ｓを表示装置１２の表示画面１２１にて表示する（第２の表示段階：ステップ２０９）。このとき表示される測色用画像Ｓは、ステップ２０２で表示装置１１の表示画面１１１で表示したものと同様のものとなるが、表示画面１２１の測色用画像Ｓが表示されない領域に、背景として白色基準画像Ｗを表示する必要はない。ここでは、背景として黒色の画像Ｂを表示している。
【００５３】
ただしそのかわり、本実施の形態では、表示部２２２で白色基準画像Ｗを表示する携帯端末２２を表示装置１２と並べて配置する（ステップ２１０）。
【００５４】
そして図５（ｄ）で示すように携帯端末２１の撮影手段２１ａを使用し、表示装置１２で表示される測色用画像Ｓを撮影する（第２の撮影段階：ステップ２１１）。このときステップ２１０で表示装置１２と並べて配置した携帯端末２２の白色基準画像Ｗについてもともに撮影を行なう。つまり本実施の形態では、白色基準画像Ｗを表示装置１２とは別の表示部２２２にて表示し、測色用画像Ｓおよび白色基準画像Ｗを撮影手段２１ａによりともに撮影する。これにより撮影手段２１ａのホワイトバランスが適正になるようにする。
【００５５】
そして携帯端末２１の表示部２１２で測色用画像Ｓの画像を表示する（ステップ２１２）。
さらに携帯端末２１の色情報取得部２１３が、撮影した測色用画像Ｓを表示部２１２で表示するときに使用する第２の色情報を取得する（第２の色情報取得段階：ステップ２１３）。即ちステップ２１２〜ステップ２１３の処理は、ステップ１１１〜ステップ１１２の処理とそれぞれ同様である。
【００５６】
次に本実施の形態では、判定部２１７が、携帯端末２２の表示部２２２にて表示された白色基準画像Ｗを撮影したときの色値が予め定められた範囲内であるかを判定する（ステップ２１４）。この色値は、第２の色情報に含まれ、第２の色情報の一部として取得することができ、（Ｒ”、Ｇ”、Ｂ”）の色信号となる。
【００５７】
そして色値が予め定められた範囲内であったとき（ステップ２１４でＹｅｓ）、ステップ２１６以降の処理を行なう。
一方、判定部２１７が色値が予め定められた範囲内でないと判定したとき（ステップ２１４でＮｏ）に、第２の色情報を補正する（ステップ２１５）。即ち、白色基準画像Ｗを撮影したときの色値（Ｒ”、Ｇ”、Ｂ”）の数値が予め定められた範囲内でなかったときは、この数値が本来採るべき値となるように第２の色情報全体を補正する。
【００５８】
以後、ステップ２１６〜ステップ２１７の処理は、ステップ１１３〜ステップ１１４の処理とそれぞれ同様である。
以上のような手順で、表示装置１２の色再現特性を作成することができる。
【００５９】
以上説明した第２の実施の形態によれば、第１の実施の形態のステップ１０８で説明した画像調整段階は、必要とされない。また上述した第１の実施の形態の効果に加え、撮影手段２１ａのホワイトバランスが適正であるかどうかの確認をすることができる。つまり自動調整機能により設定されたホワイトバランスが適正であれば、撮影手段２１ａにより携帯端末２２の表示部２２２にて表示された白色基準画像Ｗを撮影したときの色値は、予め定められた範囲内となる。一方、ホワイトバランスが適正に設定されなかったときは、この範囲から外れることになる。よってホワイトバランスが適正に設定されなかったときは、第２の色情報を補正することで、色再現特性をより精度よく作成することができる。
【００６０】
以上詳述した例では、撮影手段２１ａと色再現特性作成手段２１ｂとは、携帯端末２１内に設けられていたが、これらを別々の装置としてもよい。この場合、撮影手段２１ａは、例えば、デジタルカメラであり、色再現特性作成手段２１ｂは、例えば、デジタルカメラから色情報を取得して色再現特性を作成するＰＣ等とすることができる。またデジタルカメラのかわりに上述したスマートフォン、タブレット等を用い、これらの機器で取得した色情報をＰＣに送り色再現特性を作成してもよい。この場合、スマートフォン、タブレット等は、撮影手段２１ａの機能だけを担う。
【００６１】
また以上詳述した例では、判定部２１７と色情報補正部２１８は、第２の実施の形態で用いたが、第１の実施の形態に適用してもよい。
【００６２】
また以上説明を行った本実施の形態における色再現特性作成手段２１ｂが行なう処理は、ソフトウェアとハードウェア資源とが協働することにより実現される。即ち、色再現特性作成手段２１ｂに設けられた制御用コンピュータ内部の図示しないＣＰＵが、色再現特性作成手段２１ｂの各機能を実現するプログラムを実行し、これらの各機能を実現させる。
【００６３】
よって色再現特性作成手段２１ｂが行なう処理は、コンピュータに、基準となる表示装置１１の色再現特性と、色再現特性を作成するために使用する測色用画像Ｓと基準となる白色の画像である白色基準画像Ｗとを表示装置１１にて表示し、測色用画像Ｓおよび白色基準画像Ｗを撮影した画像を表示可能な表示部２１２を備える撮影手段２１ａにより撮影し、撮影した測色用画像Ｓを表示部２１２で表示するときに使用する第１の色情報と、測色用画像Ｓを測定対象となる表示装置１２にて表示し、測色用画像Ｓおよび白色基準画像Ｗを撮影手段２１ａにより撮影し、撮影した測色用画像Ｓを表示部２１２で表示するときに使用する第２の色情報と、を取得する機能と、表示装置１１の色再現特性および第１の色情報を基に、撮影手段２１ａの色再現特性を作成する機能と、撮影手段２１ａの色再現特性および第２の色情報を基に、表示装置１２の色再現特性を作成する機能と、を実現させるプログラムとして捉えることもできる。
【００６４】
なお、本実施の形態を実現するプログラムは、通信手段により提供することはもちろん、ＣＤ−ＲＯＭ等の記録媒体に格納して提供することも可能である。
【００６５】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００６６】
１１、１２…表示装置、２１、２２…携帯端末、２１ａ…撮影手段、２１ｂ…色再現特性作成手段、２１１…撮影部、２１２…表示部、２１３…色情報取得部、２１４…基準色再現特性記憶部、２１５…第１の色再現特性作成部、２１６…第２の色再現特性作成部、２１７…判定部、２１８…色情報補正部
【図１】
2015095867.tif 000003
【図２】
2015095867.tif 000004
【図３】
2015095867.tif 000005
【図４】
2015095867.tif 000006
【図５】
2015095867.tif 000007
【図６】
2015095867.tif 000008
【図７】
2015095867.tif 000009